(57)【要約】【課題】媒体受けトレイへの媒体の排出中に該媒体が座屈する虞を低減または回避し、複数の媒体を適切にトレイに積重すること。【解決手段】駆動源の動力により駆動して媒体Ｐを送る排出駆動ローラー３６ａと、排出駆動ローラー３６ａに接して従動回転する排出従動ローラー３６ｂと、を備える排出ローラー対３６と、排出ローラー対３６によって送られて排出される媒体Ｐを受ける媒体受けトレイ１８と、を備え、媒体受けトレイ１８が、排出ローラー対３６から排出された媒体Ｐの先端が媒体載置面に対して所定の角度で進入するようにガイドするガイド部材４４を備え、ガイド部材４４が、媒体受けトレイ１８の媒体載置面１８ａに対して進退する方向に弾性的に変位可能に設けられ、媒体受けトレイ１８に排出された媒体Ｐによる押圧荷重の増加に応じて媒体載置面１８ａに対して近づく方向に変位する。【選択図】図５
2017075040.tif 000002
【特許請求の範囲】
【請求項１】
駆動源の動力により駆動して媒体を送る排出駆動ローラーと、前記排出駆動ローラーに接して従動回転する排出従動ローラーと、を備える排出ローラー対と、
前記排出ローラー対によって送られて排出される前記媒体を受ける媒体受けトレイと、を備え、
前記媒体受けトレイが、前記排出ローラー対から排出された前記媒体の先端が前記媒体載置面に対して所定の角度で進入するようにガイドするガイド部材を備え、
前記ガイド部材が、
前記媒体受けトレイの前記媒体載置面に対して進退する方向に弾性的に変位可能に設けられ、前記媒体受けトレイに排出された前記媒体による押圧荷重の増加に応じて前記媒体載置面に対して近づく方向に変位する構成である、
ことを特徴とする媒体排出装置。
【請求項２】
請求項１に記載の媒体排出装置において、前記ガイド部材が、搬送方向上流側から前記媒体受けトレイの前記媒体載置面に前記所定の角度で連なる下り斜面に形成されている、ことを特徴とする媒体排出装置。
【請求項３】
請求項１または請求項２に記載の媒体排出装置において、前記ガイド部材が、前記媒体受けトレイにおける媒体搬送方向と交差する幅方向の一部に対して設けられている、ことを特徴とする媒体排出装置。
【請求項４】
請求項３に記載の媒体排出装置において、前記ガイド部材が、前記幅方向の中央部に設けられている、ことを特徴とする媒体排出装置。
【請求項５】
請求項３に記載の媒体排出装置において、前記ガイド部材が、前記媒体を前記幅方向に対して少なくとも２箇所でガイドする、ことを特徴とする媒体排出装置。
【請求項６】
請求項１から請求項５のいずれか一項に記載の媒体排出装置において、前記ガイド部材が、板バネによって構成されている、ことを特徴とする媒体排出装置。
【請求項７】
媒体を読み取る読取部を備える装置本体と、
前記読取部で読み取った前記媒体を前記装置本体の外部に排出する、請求項１から請求項６のいずれか一項に記載の媒体排出装置と、を備える、
ことを特徴とする画像読取装置。
【請求項８】
請求項７に記載の画像読取装置において、前記媒体受けトレイが、前記装置本体内に設けられる収納部に収納可能に構成されており、
前記ガイド部材が、前記媒体受けトレイの前記収納部への収納動作に連動して前記媒体載置面に対して近づく方向に変位し、前記媒体受けトレイとともに前記収納部に収納される構成である、ことを特徴とする画像読取装置。
【発明の詳細な説明】
【技術分野】
【０００１】
本発明は、媒体を装置外部へ排出してスタックする媒体排出装置、および媒体排出装置を備える画像読取装置に関する。
【背景技術】
【０００２】
画像読取装置の一例であるスキャナーには、媒体としての原稿の自動送り装置（ＡＤＦ（Auto Document Feeder）とも呼ばれる）が設けられ、複数枚の原稿の自動送りと読み込みとを行える様に構成されるものがある。送られた複数枚の原稿は、前記自動送り装置の搬送方向下流側に設けられる画像読取部おいて読み取られる。
【０００３】
このようなスキャナーでは、前記画像読取部の下流側に排出ローラー対が設けられ、原稿が装置外部に排出されるとともに、排出された複数の原稿を受ける排紙受けトレイ（排紙スタッカーなどと呼ばれることもある）に排出順に積重されるように構成された媒体排出装置を備える場合がある。
【０００４】
例えば特許文献１には、前記画像読取部としての撮像部１３０の下流側に設けられる第２搬送ローラ１４０及び第２従動ローラ１４１によって装置外に用紙を排出し、排紙受けトレイとしての前面カバー１０５ａ、上面カバー１０５ｂ、及び補助カバー１０５ｃに用紙が積重される構成の媒体排出装置が開示されている。
【先行技術文献】
【特許文献】
【０００５】
【特許文献１】特開２０１４−０５１３３８号公報
【発明の概要】
【発明が解決しようとする課題】
【０００６】
このような媒体排出装置では、複数枚の媒体を排紙受けトレイに積重するため、図１７に示すように、排紙受けトレイ１００の媒体載置面１００ａが前記排出ローラー対１０２よりも下方側に設けられ、前記媒体（符号Ｐ）が排出ローラー対１０２から送り出された後、該排出ローラー対１０２から所定の距離Ｌをもって前記排紙受けトレイ１００の媒体載置面１００ａに対して所定の角度θ１で着地して排出されるように構成されている。
【０００７】
ここで、媒体Ｐのコシが強い場合、すなわち、剛性が高い媒体である場合には、排出ローラー対１０２から送り出された媒体Ｐの先端は着地点Ａまでほぼ真っ直ぐ進み、媒体載置面１００ａに対して角度θ１で着地する。媒体Ｐの先端の着地後、媒体Ｐは排出ローラー対１０２によって更に送られて排出され、排紙受けトレイ１００に載置される。
【０００８】
一方、媒体のコシが弱い場合、すなわち、薄紙等の剛性が低い媒体Ｐ’（図１７において点線で示す）である場合には、排出ローラー対１０２から送り出された媒体Ｐ’は着地点Ａに到達する前に自重で垂れ下がり、着地点Ａよりも媒体搬送方向上流側（例えば図１７の着地点Ｂ）に、角度θ１よりも大きい角度θ２で着地することがある。  
コシの弱い媒体Ｐ’の先端が大きな角度θ２で媒体載置面１００ａに対して着地し、媒体Ｐ’が排出ローラー対１０２によって更に下流側に送られると、媒体載置面１００ａに媒体Ｐ’の先端が引っ掛かり、座屈する虞がある。先に排出された媒体が座屈すると、後続の媒体が座屈した媒体と衝突して詰まる、或いは積載順が逆転する等の不具合が生じる虞が増す。
【０００９】
上記問題点に鑑み、本発明の目的は、排紙受けトレイへの媒体の排出中に該媒体が座屈する虞を低減または回避し、複数の媒体を適切に排出して排紙受けトレイに積重することにある。
【課題を解決するための手段】
【００１０】
上記課題を解決するため、本発明の第１の態様に係る媒体排出装置は、駆動源の動力により駆動して媒体を送る排出駆動ローラーと、前記排出駆動ローラーに接して従動回転する排出従動ローラーと、を備える排出ローラー対と、前記排出ローラー対によって送られて排出される前記媒体を受ける媒体受けトレイと、を備え、前記媒体受けトレイが、前記排出ローラー対から排出された前記媒体の先端が前記媒体載置面に対して所定の角度で進入するようにガイドするガイド部材を備え、前記ガイド部材が、前記媒体受けトレイの前記媒体載置面に対して進退する方向に弾性的に変位可能に設けられ、前記媒体受けトレイに排出された前記媒体による押圧荷重の増加に応じて前記媒体載置面に対して近づく方向に変位する構成である、ことを特徴とする。
【００１１】
本態様によれば、前記排出ローラー対から排出された前記媒体を、前記ガイド部材によってガイドして、前記媒体受けトレイの媒体載置面に対して所定の進入角度で着地させることができるので、媒体の排出時にコシの弱い（剛性の低い）媒体が媒体受けトレイ上で座屈する虞を低減または回避することができる。以って、後続の媒体が詰まる虞を抑制し、媒体受けトレイに適切に媒体を積重することができる。
【００１２】
加えて、前記ガイド部材は、前記媒体受けトレイの前記媒体載置面に対して弾性的に進退する方向に変位し、前記媒体受けトレイに排出された前記媒体による押圧荷重の増加に応じて前記媒体載置面に対して近づく方向に変位する。すなわち、排出された媒体枚数が多くなった際に、前記ガイド部材が前記媒体載置面に対して近づくように変位する。このことによって、前記媒体受けトレイにおける高さ方向（媒体載置面と直行する方向）における積載スペースを確保することができる。
【００１３】
本発明の第２の態様に係る媒体排出装置は、第１の態様において、前記ガイド部材が、搬送方向上流側から前記媒体受けトレイの前記媒体載置面に前記所定の角度で連なる下り斜面に形成されている、ことを特徴とする。
【００１４】
本態様によれば、前記排出ローラー対から排出された前記媒体を、確実に前記媒体受けトレイの媒体載置面に対して所定の角度で進入させるようにガイドすることができる。
【００１５】
本発明の第３の態様に係る媒体排出装置は、第１の態様または第２の態様において、前記ガイド部材が、前記媒体受けトレイにおける媒体搬送方向と交差する幅方向の一部に対して設けられている、ことを特徴とする
【００１６】
本態様によれば、前記ガイド部材が、前記幅方向に対して部分的に設けられることにより、前記幅方向に亘ってガイド部材が設けられる場合よりも、該ガイド部材の弾性力の調整を容易に行うことができる。また、前記ガイド部材を構成簡単且つ低コストに設けることができる。
【００１７】
本発明の第４の態様に係る媒体排出装置は、第３の態様において、前記ガイド部材が、前記幅方向の中央部に設けられている、ことを特徴とする。
【００１８】
本態様によれば、前記媒体受けトレイにおける媒体搬送方向と交差する幅方向の中央部において、前記ガイド部材が前記排出ローラー対から排出された前記媒体を確実にガイドすることができる。特に、媒体搬送方向と交差する方向の中央部に媒体が配置されて送られる、所謂センター給送によって前記媒体排出装置の上流側から前記媒体が搬送されてくる場合に、効果的に前記媒体をガイドすることができる。
【００１９】
本発明の第５の態様に係る媒体排出装置は、第３の態様において、前記ガイド部材が、前記媒体を前記幅方向に対して少なくとも２箇所でガイドする、ことを特徴とする。
【００２０】
本態様によれば、前記ガイド部材が、前記媒体を前記幅方向に対して２箇所以上で支持してガイドするので、当該媒体を安定して搬送させることができる。
【００２１】
本発明の第６の態様に係る媒体排出装置は、第１の態様から第５の態様のいずれかにおいて、前記ガイド部材が、板バネによって構成されている、ことを特徴とする。
【００２２】
本態様によれば、前記ガイド部材が、前記媒体受けトレイの前記媒体載置面に対して進退する方向に弾性的に変位し、前記媒体受けトレイに排出された前記媒体による押圧荷重の増加に応じて前記媒体載置面に対して近づく方向に変位する構成を、簡単且つ安価に実現することができる。
【００２３】
本発明の第７の態様に係る画像読取装置は、媒体を読み取る読取部を備える装置本体と、前記読取部で読み取った前記媒体を前記装置本体の外部に排出する、第１の態様から第６の態様のいずれかの媒体排出装置と、を備える、ことを特徴とする。
【００２４】
本態様によれば、装置本体内に媒体を読み取る読取部を備えた画像読取装置において、前記媒体を前記読取部に向けて給送する際に、第１の態様から第４の態様のいずれかと同様の作用効果が得られる。
【００２５】
本発明の第８の態様に係る画像読取装置は、第７の態様において、前記媒体受けトレイが、前記装置本体内に設けられる収納部に収納可能に構成されており、前記ガイド部材が、前記媒体受けトレイの前記収納部への収納動作に連動して前記媒体載置面に対して近づく方向に変位し、前記媒体受けトレイとともに前記収納部に収納される構成である、ことを特徴とする。
【００２６】
本態様によれば、前記媒体受けトレイを前記装置本体内の収納部に収納する際に、前記ガイド部材を一緒に前記収納部に収納することができる。その際、前記ガイド部材は前記媒体載置面に対して近づく方向に変位するので、前記ガイド部材を省スペースで収納することができる。
【図面の簡単な説明】
【００２７】
【図１】本発明に係るスキャナーの一例を示す外観斜視図。
【図２】本発明に係るスキャナーにおける給送状態を示す斜視図。
【図３】本発明に係るスキャナーにおいて上部ユニットを下部ユニットに対して開状態とした場合の斜視図。
【図４】本発明に係るスキャナーにおける給送経路を示す側断面図。
【図５】本発明に係るスキャナーの要部拡大図。
【図６】スキャナーに設けられた媒体排出装置の側断面図。
【図７】媒体排出装置におけるガイド部材について説明する図。
【図８】ガイド部材に用紙がガイドされた状態を示す図。
【図９】ガイド部材に複数枚の用紙が載置された状態を示す図。
【図１０】実施例２に係る媒体排出装置の構成を示す概略側面図。
【図１１】スキャナーの装置本体から排紙トレイを引き出した状態の斜視断面図。
【図１２】スキャナーの装置本体に排紙トレイを収納した状態の側断面図。
【図１３】実施例３に係る媒体排出装置の要部を示す斜視図。
【図１４】実施例４に係る媒体排出装置の要部を示す斜視図。
【図１５】実施例４に係る媒体排出装置の他の例について説明する斜視図。
【図１６】実施例５に係る媒体排出装置の要部を示す斜視図。
【図１７】従来技術について説明する図。
【発明を実施するための形態】
【００２８】
［実施例１］
まず、本発明の一実施例に係る記録装置の概略について説明する。本実施例の画像読取装置の一例として、媒体の表面及び裏面の少なくとも一面を読み取り可能なドキュメントスキャナー（以下、単にスキャナー１０と称する）を例に挙げる。  
図１は、本発明に係るスキャナーの一例を示す外観斜視図である。図２は、本発明に係るスキャナーにおける給送状態を示す斜視図である。図３は、本発明に係るスキャナーにおいて上部ユニットを下部ユニットに対して開状態とした場合の斜視図である。図４は、本発明に係るスキャナーにおける給送経路を示す側断面図である。
【００２９】
図５は、本発明に係るスキャナーの要部拡大図である。図６は、スキャナーに設けられた媒体排出装置の側断面図である。図７は、媒体排出装置におけるガイド部材について説明する図である。図８は、ガイド部材に用紙がガイドされた状態を示す図である。図９は、ガイド部材に複数枚の用紙が載置された状態を示す図である。
【００３０】
＜スキャナーの概要＞
本発明に係る画像読取装置としてのスキャナー１０は、図１に示すように、原稿の画像を読み取る読取部（後述する画像読取部３４）を備える装置本体１１を構成する下部ユニット１２及び上部ユニット１４と、上部ユニット１４に対して開閉するペーパーサポート１６と、装置本体１１から排出される用紙Ｐを受ける「媒体受けトレイ」としての排紙トレイ１８とを備えている。
【００３１】
尚、各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、スキャナー１０において、媒体としての用紙Ｐは各図の＋Ｙ方向へ搬送される構成である。以下において、用紙Ｐが搬送されていく方向（＋Ｙ方向側）を「下流」といい、これと反対の方向（−Ｙ方向側）を「上流」という。
【００３２】
上部ユニット１４は下部ユニット１２に対して用紙搬送方向下流側を回動支点として回動可能に下部ユニット１２に取り付けられている。上部ユニット１４は、下部ユニット１２に対して閉じて下部ユニット１２とともに用紙Ｐの用紙搬送経路を構成する閉状態（図２参照）と、下部ユニット１２に対して装置前面側に回動して用紙Ｐの用紙搬送経路を露呈させて用紙Ｐの紙詰まりの処理を容易に行うことができる開状態（図３参照）とを取り得る。
【００３３】
また、上部ユニット１４の上部を開閉するペーパーサポート１６が設けられている。  
ペーパーサポート１６は、下部ユニット１２の背面側の上部に対して回動可能に下部ユニット１２に取り付けられている。ペーパーサポート１６は、図１に示すように上部ユニット１４の上部及び給送口２０（図２）を覆う非給送状態と、図１の非給送状態から図２に示すように装置背面側に回動し、給送口２０を開放するとともにペーパーサポート１６の裏面（後述する支持面１６ａ）が用紙Ｐの媒体載置部材２２に連なる給送状態とを取り得る。
【００３４】
また、下部ユニット１２の装置前面側には装置本体１１内から用紙Ｐを排出する排出口２４と、媒体排出装置４２が設けられている。媒体排出装置４２は、後述する排出ローラー対３６と、排出口２４から装置前面側に向けて引き出し可能な排紙トレイ１８によって構成されている。排紙トレイ１８は、下部ユニット１２の底部に設けられる収納部５０（図４参照）に収納された状態（図１）と、装置前面側に引き出された状態（図２）とを取り得る。また、本実施形態において排紙トレイ１８は複数のトレイ部材４６ａ、４６ｂ、４６ｃ、４６ｄを連結して構成されており、排出される用紙Ｐの長さに応じて、排出口２４からの引き出し長さを調整可能である。  
尚、排紙トレイ１８の細部と、排紙トレイ１８の収納部５０への収納構造については後に詳細に説明する。
【００３５】
＜スキャナーにおける給送経路について＞
次に、図４を参照して、スキャナー１０における用紙搬送経路について説明する。  
給送口２０にセットされる用紙Ｐは、その先端側（下流側）が媒体載置部材２２の媒体載置面２２ａに支持され、後端側（上流側）が下部ユニット１２に対して装置背面側に回動した姿勢にあるペーパーサポート１６の裏面である支持面１６ａによって支持されて載置される。給送口２０には、複数枚の用紙Ｐをセットすることができる。
【００３６】
媒体載置部材２２に載置された用紙Ｐは、媒体載置部材２２が設けられる下部ユニット１２に対して回転可能に設けられた第１給送ローラー２６によりピックアップされて下流側（＋Ｙ方向側）に給送される。具体的には、用紙Ｐの媒体載置面２２ａに対向する面に、第１給送ローラー２６が接触しつつ回転することにより、用紙Ｐを下流側に向けて給送する。したがって、スキャナー１０において複数枚の用紙Ｐを給送口２０にセットした場合には、媒体載置部材２２の媒体載置面２２ａ側の用紙Ｐから順に下流側に向けて給送される。尚、第１給送ローラー２６は、媒体載置部材２２の媒体載置面２２ａに対して一部が突出するように配置されている。
【００３７】
媒体載置部材２２は、第１給送ローラー２６よりも上流側において、給送口２０にセットされる用紙Ｐを支持するとともに、第１給送ローラー２６よりも下流側においては、第１給送ローラー２６により給送される用紙Ｐの搬送経路としての役割を果たしている。  
また、第１給送ローラー２６と対向する位置には第１給送ローラー２６側に付勢された用紙戻し部材２７が設けられ、用紙Ｐの重送を抑制している。
【００３８】
第１給送ローラー２６の下流側には、下部ユニット１２に「給送ローラー」としての第２給送ローラー２８が回転可能に設けられ、上部ユニット１４に分離ローラー３０が回転可能に設けられている。  
第２給送ローラー２８は、第１給送ローラー２６と同様、媒体載置部材２２の媒体載置面２２ａに対して一部が突出するように配置されており、用紙Ｐの媒体載置面２２ａに対向する面に接触しつつ回転することにより、用紙Ｐを下流側に向けて給送する。
【００３９】
本実施形態において分離ローラー３０には所定の回転抵抗が与えられている。そして、第１給送ローラー２６により２枚以上の用紙Ｐが給送された場合には、分離ローラー３０により分離され、第２給送ローラー２８と接している用紙Ｐのみが第２給送ローラー２８と分離ローラー３０とにニップされて給送方向下流側に給送される。
【００４０】
第２給送ローラー２８の搬送方向下流側には搬送ローラー対３２と、「読取部」としての画像読取部３４と、媒体排出装置４２を構成する排出ローラー対３６が設けられている。  
本実施形態において排出ローラー対３６は下部ユニット１２に設けられた排出駆動ローラー３６ａと、上部ユニット１４に設けられ、排出駆動ローラー３６ａに対して従動回転する排出従動ローラー３６ｂを備えている。
【００４１】
第２給送ローラー２８及び分離ローラー３０によりニップされて搬送方向下流側に給送された用紙Ｐが搬送ローラー対３２にニップされて、搬送ローラー対３２の下流側に位置する画像読取部３４に搬送される。  
搬送ローラー対３２は下部ユニット１２に設けられた搬送駆動ローラー３２ａと、上部ユニット１４に設けられ、搬送駆動ローラー３２ａに対して従動回転する搬送従動ローラー３２ｂを備えている。
【００４２】
尚、本実施形態において第１給送ローラー２６、第２給送ローラー２８、搬送駆動ローラー３２ａ及び排出駆動ローラー３６ａは、下部ユニット１２内に設けられた少なくとも１つの駆動源４８（図１２）により回転駆動させられる。  
また、第１給送ローラー２６、第２給送ローラー２８、分離ローラー３０、及び搬送ローラー対３２は、媒体載置部材２２の媒体搬送方向と交差する幅方向（Ｘ軸方向）の中央部に配置されており、用紙Ｐの位置決めを用紙Ｐの幅方向の中央を基準として行う、所謂、センター給紙を行う構成である。したがって、排出ローラー対３６もＸ軸方向中央部に設けられている。
【００４３】
画像読取部３４は、上部ユニット１４側に設けられた上部画像読取センサー３８と、下部ユニット１２側に設けられた下部画像読取センサー４０とを備えている。本実施形態において、上部画像読取センサー３８及び下部画像読取センサー４０は一例として密着型イメージセンサーモジュール（ＣＩＳＭ）として構成されている。
【００４４】
用紙Ｐは、画像読取部３４において用紙Ｐの表面及び裏面の少なくとも一方の面の画像が読み取られた後、画像読取部３４の搬送方向下流側に位置する排出ローラー対３６にニップされて排出口２４から排紙トレイ１８に向けて排出される。尚、図４における一点鎖線は用紙Ｐの給送経路を示している。
【００４５】
＜排紙トレイについて＞
次に、図５〜図９を参照して排紙トレイ１８について説明する。  
排紙トレイ１８は、排出ローラー対３６よりも下方側に設けられており、複数枚の用紙Ｐの積重スペースが確保されている。  
排紙トレイ１８の媒体搬送方向と交差する幅方向（Ｘ軸方向）の中央部には、排出ローラー対３６から排出された用紙Ｐの先端が媒体載置面１８ａに対して所定の角度θ１で進入するようにガイドするガイド部材４４が設けられている。所定の角度θ１は、媒体載置面１８ａに着地後の用紙Ｐが更に下流側に送られた際に、媒体載置面１８ａ上で座屈する虞が低い角度に設定されている。
【００４６】
より具体的にはガイド部材４４は、搬送方向上流側から下流側に向けて下る斜面に形成されており、排紙トレイ１８の媒体載置面１８ａに対して所定の角度θ１で連なるように構成されている。
【００４７】
ガイド部材４４は、排紙トレイ１８の媒体載置面１８ａに対して進退する方向（図６における上下方向）に弾性的に変位可能に設けられている。本実施形態においてはガイド部材４４を板バネにより形成することにより、媒体載置面１８ａに対して進退する方向への弾性的な変位を簡単且つ安価に実現している。  
ガイド部材４４は、排紙トレイ１８に排出された用紙Ｐによる押圧荷重の増加に応じて媒体載置面１８ａに対して近づく方向に変位するように構成されている。
【００４８】
次に、ガイド部材４４の動作について説明する。まず、用紙Ｐが剛性の高い媒体である場合（図７の点線で示す）には、排出ローラー対３６から送り出された用紙Ｐが垂れ下がることなくほぼ真っ直ぐ進み、媒体載置面１８ａに対して角度θ１で着地する。尚、剛性の高い媒体は、通常、ガイド部材４４がなくても媒体載置面１８ａに対して角度θ１で着地する。  
ガイド部材４４は、剛性の高い媒体の進路を妨げないように設けられており、ガイド部材４４は斜面４４ａの先端部４４ｂが、やや下方側に曲げられた形状をしている。
【００４９】
一方、図７において実線で示す用紙Ｐが薄紙等の剛性の低い媒体（コシの弱い媒体）である場合には、排出ローラー対３６から送り出された用紙Ｐは自重で垂れ下がり易く、そのままでは同図中の一点鎖線で示す軌跡ように角度θ１よりも大きい角度θ２で媒体載置面１８ａに着地することとなる。しかし、図８に示すようにガイド部材４４に用紙Ｐが接触してガイドされるので、用紙Ｐを排紙トレイ１８の媒体載置面１８ａに対して角度θ１で着地させることができる。
【００５０】
したがって、用紙Ｐが薄紙等の剛性の低い媒体であっても、用紙Ｐを排紙トレイ１８の媒体載置面１８ａに対して確実に角度θ１で着地させることができ、排紙トレイ１８の媒体載置面１８ａ上で用紙Ｐが座屈する虞を低減または回避することができる。以って、後続の用紙が詰まる、用紙の順番が入れ替わる等の虞を抑制し、排紙トレイ１８に適切に媒体を積重することができる。
【００５１】
加えて、ガイド部材４４は、排紙トレイ１８に排出された用紙Ｐによる押圧荷重の増加に応じて媒体載置面１８ａに対して近づく方向に弾性的に変位する。すなわち、排出された用紙Ｐの枚数が多くなった際に、ガイド部材４４が媒体載置面１８ａに対して近づくように変位する（図９を参照）。このことによって、排紙トレイ１８における高さ方向（媒体載置面１８ａと直行する方向）における積載スペースを確保することができる。尚、図９において、変位前のガイド部材４４（媒体載置面１８ａに対する角度がθ１）を点線で示している。用紙Ｐからの押圧荷重の増加による変位後のガイド部材４４の媒体載置面１８ａに対する角度は、θ１よりも小さいθ３になっている。
【００５２】
ガイド部材４４は、例えば排紙トレイ１８の幅方向の全幅に亘って設けることも可能であるが、排紙トレイ１８における幅方向に対して部分的に設けられることにより、ガイド部材４４を構成簡単且つ低コストに設けることができる上、ガイド部材４４の弾性力の調整を容易に行うことができる。  
また、後述する実施例に示すように、ガイド部材４４を排紙トレイ１８の幅方向に対して部分的に複数設けることも可能である。
【００５３】
＜排紙トレイの収納構造について＞
次に、図１１及び図１２を参照して、排紙トレイ１８の収納構造ついて説明する。図１１は、スキャナーの装置本体から排紙トレイを引き出した状態の斜視断面図である。図１２は、スキャナーの装置本体に排紙トレイを収納した状態の側断面図である。  
本実施形態において、排紙トレイ１８は、装置本体１１内に収納可能に構成されている。具体的には、下部ユニット１２に設けられる収納部５０に収納されるように構成されている。
【００５４】
前述したように、本実施形態において排紙トレイ１８は複数のトレイ部材４６ａ、４６ｂ、４６ｃ、４６ｄを連結して構成されている。図１１に示すように、最も下流側に位置するトレイ部材４６ｄはトレイ部材４６ｃの上側にスライド可能に設けられており、トレイ部材４６ｃはトレイ部材４６ｂの上側にスライド可能に設けられている。  
また、トレイ部材４６ｂはトレイ部材４６ａの下側にスライド可能に設けられており、トレイ部材４６ｂ、４６ｃ、４６ｄが納められたトレイ部材４６ａが、図１２に示されるように収納部５０に収納される。
【００５５】
ガイド部材４４は、トレイ部材４６ｂにおいて媒体載置面１８ａよりも一段下がった位置にあるスライド部５２に取り付けられている。スライド部５２は、トレイ部材４６ｂにおいてトレイ部材４６ｃがスライドして収納されるスペースである。  
トレイ部材４６ｃがトレイ部材４６ｂにスライド収納されたときに、トレイ部材４６ｃにガイド部材４４の斜面４４ａ（図１１）が押されて、媒体載置面１８ａに対して近づく方向に変位するように構成されている。尚、図１１において点線で示すガイド部材４４は、媒体載置面１８ａに対して近づく方向に変位するガイド部材４４を表している。
【００５６】
トレイ部材４６ｂにトレイ部材４６ｃが完全に収納されると、ガイド部材４４の高さはトレイ部材４６ａの下側に納まる高さになり、トレイ部材４６ｂがトレイ部材４６ａに収納可能となり、更にはトレイ部材４６ａが収納部に収納可能となる。  
以上のようにして、排紙トレイ１８に設けられるガイド部材４４を、排紙トレイ１８の収納部５０への収納動作に連動して排紙トレイ１８とともに装置本体１１内に設けられる収納部５０に収納することができる。以って、ガイド部材４４を省スペースで収納することができる。
【００５７】
［実施例２］
実施例２では、図１０に基づき、媒体排出装置の他の例について説明する。  
図１０は、実施例２に係る媒体排出装置の構成を示す概略側面図である。本実施例において実施例１と同一の構成については同一の符号を付し、その構成の説明は省略する。
【００５８】
本実施形態の媒体排出装置６０においては排紙トレイ１８が、図１０に示すようなガイド部材６２を備えている。すなわち、ガイド部材６２は、用紙Ｐのガイド面を有するガイド板６４と、ガイド板６４と排紙トレイ１８のスライド部５２との間に設けられるバネ部材６６とを備えている。ガイド板６４は非弾性材料で形成されている。  
ガイド板６４は、排紙トレイ１８に排出された用紙Ｐによる押圧荷重の増加に応じ、バネ部材６６の付勢力に抗して媒体載置面１８ａに対して近づく方向に変位するように構成されている。
【００５９】
本実施形態においても実施例１と同様に、用紙Ｐの剛性によらず、用紙Ｐを排紙トレイ１８の媒体載置面１８ａに対して確実に角度θ１で着地させることができ、排紙トレイ１８の媒体載置面１８ａ上で用紙Ｐが座屈する虞を低減または回避することができる。以って、後続の用紙が詰まる、用紙の順番が入れ替わる等の虞を抑制し、排紙トレイ１８に適切に媒体を積重することができる。
【００６０】
また、本実施形態においても、ガイド部材６２を、排紙トレイ１８の収納部５０への収納動作に連動して排紙トレイ１８とともに収納部５０に収納される構成とすることができる。
【００６１】
［実施例３］
実施例３では、図１３に基づき、媒体排出装置の更に他の例について説明する。図１３は、実施例３に係る媒体排出装置の要部を示す斜視図である。  
本実施形態の媒体排出装置７０において、排紙トレイ１８には、３つのガイド部材７２、７４、７６が設けられている。具体的には、排紙トレイ１８の中央部に設けられるガイド部材７２と、排紙トレイ１８の装置前面側から見てガイド部材７２の左側（−Ｘ側）の端部に設けられるガイド部材７４と、ガイド部材７２の右側（＋Ｘ側）の端部に設けられるガイド部材７６を備えている。
【００６２】
排出される用紙Ｐの幅方向（Ｘ軸方向）のサイズが大きく、また、コシが弱い（剛性が低い）場合に、中央部のガイド部材７２のみによって用紙Ｐが支持されていると、用紙Ｐの側端が自重により垂れ下がり、用紙Ｐの中央部の先端よりも先に、用紙Ｐの側縁の先端が、媒体載置面１８ａに対して角度θ１より大きな角度で着地してしまう場合がある。  
本実施形態では、排紙トレイ１８の幅方向の端部側にもガイド部材７４、７６が設けられていることにより、幅サイズが大きい用紙Ｐの側縁寄りの部分をガイド部材７４、７６によって支持することができるので、前述したような用紙Ｐの側縁の先端が先に媒体載置面１８ａに着地する虞を低減することができる。以って、用紙Ｐを排紙トレイ１８の媒体載置面１８ａに対して確実に角度θ１で着地させることができる。
【００６３】
尚、本実施形態においては中央のガイド部材７２を構成する板バネが、ガイド部材７４、７６を構成する板バネよりも幅広に形成されており、弾性力が高く設定されているが、３つのガイド部材７２、７４、７６の弾性力を同じにすることもできる。  
また、幅方向に３つ以上のガイド部材を配置することも可能である。ガイド部材を複数設ける場合には、排紙トレイ１８の幅方向の中央部に対して対照に設けられる場合に限られない。
【００６４】
［実施例４］
実施例４では、図１４及び図１５に基づき、媒体排出装置の更に他の例について説明する。図１４は、実施例４に係る媒体排出装置の要部を示す斜視図である。図１５は、実施例４に係る媒体排出装置の他の例について説明する斜視図である。  
本実施形態の媒体排出装置８０において、排紙トレイ１８には、その幅方向の中央部Ｃに対して幅方向（Ｘ軸方向）の両側に、ガイド部材８２、８４が設けられている。  
本実施形態において、ガイド部材８２、８４は、スキャナー１０において読み取り可能な最小サイズの原稿（用紙Ｐ１）をガイドする位置に設けられている。
【００６５】
本実施形態では、用紙Ｐを２つのガイド部材８２、８４によって支持してガイドするので、より安定した用紙の搬送を実現できる。  
尚、本実施形態のようにセンター給送のスキャナー１０の場合、ガイド部材８２、８４は、搬送される用紙Ｐの中央部Ｃに対して対照になる位置、すなわち、中央部Ｃから等距離に位置させることが好ましい。
【００６６】
また、スキャナー１０において読み取る原稿サイズが固定されており、決まったサイズの用紙Ｐが媒体排出装置８０によって排出される場合には、図１５に示すように、その用紙Ｐのサイズに応じた位置に２つのガイド部材８２、８４を配置してもよい。
【００６７】
［実施例５］
実施例５では、図１６に基づき、媒体排出装置の更に他の例について説明する。図１６は、実施例５に係る媒体排出装置の要部を示す斜視図である。  
先に説明した各実施例においては、板バネによって形成したガイド部材（例えば、実施例１のガイド部材４４）について説明したが、本発明に係るガイド部材は、鋼線等の弾性を有する線材を用いて形成することもできる。  
本実施形態の媒体排出装置９０のガイド部材９２は、図１８に示すように、線材が、Ｚ軸方向から見たときに略Ｕ字状になるように曲げられて形成され、トレイ部材４６ｂのスライド部５２への取り付け部としての２本の足部９２ａと、スライド部５２に取り付けられた２本の足部９２ａに連なる部分が、スライド部５２から離れる方向（＋Ｚ側）に角度θ１で曲げられたバネ部９２ｂとを備えている。  
排紙トレイ１８の幅方向の両端部に設けられるガイド部材９４、９６も、ガイド部材９２と同様に線材を曲げて形成されている。
【００６８】
このように形成したガイド部材９２、９４、９６によっても、用紙Ｐを排紙トレイ１８の媒体載置面１８ａに対して確実に角度θ１で着地させることができ、排紙トレイ１８の媒体載置面１８ａ上で用紙Ｐが座屈する虞を低減または回避することができる。
【００６９】
ガイド部材９２、９４、９６を、弾性を有する線材によって形成することにより、ガイド部材９２、９４、９６を一層軽量化することができる。  
また、ガイド部材９２、９４、９６の弾性力の調整は、弾性力の異なる線材に変える（線材の太さや材質を変える）ことや、線材の曲げ幅を変えることによって調整することができるので、ガイド部材の設計自由度が増す。  
尚、線材をＵ字状に曲げず、一本の線材によってガイド部材９２、９４、９６を形成することも可能である。
【００７０】
尚、上記説明した各実施例においては、本発明に係る媒体排出装置が設けられる装置として、センター給送方式によって用紙Ｐを給送するスキャナー１０について説明したが、用紙Ｐの一方の側縁を位置決めの基準とする片寄せ方式で用紙Ｐが給送される装置に採用することもできる。
【００７１】
また、本発明に係る媒体排出装置はスキャナー１０に設けられる場合に限られず、装置本体内から用紙等の媒体が続けて複数枚排出されて積重される構成の各種装置に設けることができる。例えば、媒体としての用紙に記録を行うプリンターに代表される記録装置の媒体排出装置として採用することも可能である。
【００７２】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００７３】
１０…スキャナー、１１…装置本体、１２…下部ユニット、
１４…上部ユニット、１６…ペーパーサポート、１６ａ…支持面、
１７…カバーペーパーサポート、１８…排紙トレイ、２０…給送口、
２２…媒体載置部材、２２ａ…媒体載置面、２４…排出口、
２６…第１給送ローラー、２８…第２給送ローラー、３０…分離ローラー、
３２…搬送ローラー対、３２ａ…搬送駆動ローラー、３２ｂ…搬送従動ローラー、
３４…画像読取部、３６…排出ローラー対、３６ａ…排出駆動ローラー、
３６ｂ…排出従動ローラー、３８…上部画像読取センサー、
４０…下部画像読取センサー、４２…媒体排出装置、４４…ガイド部材、
４６ａ、４６ｂ、４６ｃ、４６ｄ…トレイ部材、４８…駆動源、
５０…収納部、５２…スライド部、６０…媒体排出装置、６２…ガイド部材、
６４…ガイド板、６６…バネ部材、７０…媒体排出装置、７２…ガイド部材、
７４…ガイド部材、７６…ガイド部材、８０…媒体排出装置、８２…ガイド部材、
８４…ガイド部材、９０…媒体排出装置、９２…ガイド部材、
９４…ガイド部材、９６…ガイド部材、
Ｐ、Ｐ’Ｐ１…用紙（媒体）
【図１】
2017075040.tif 000003
【図２】
2017075040.tif 000004
【図３】
2017075040.tif 000005
【図４】
2017075040.tif 000006
【図５】
2017075040.tif 000007
【図６】
2017075040.tif 000008
【図７】
2017075040.tif 000009
【図８】
2017075040.tif 000010
【図９】
2017075040.tif 000011
【図１０】
2017075040.tif 000012
【図１１】
2017075040.tif 000013
【図１２】
2017075040.tif 000014
【図１３】
2017075040.tif 000015
【図１４】
2017075040.tif 000016
【図１５】
2017075040.tif 000017
【図１６】
2017075040.tif 000018
【図１７】
2017075040.tif 000019